(57)【要約】【課題】島設備の設置枠に遊技台を係止する部材が、非係止状態において遊技台の収容枠から突出しない構造を有する遊技台を提供することを目的とする。【解決手段】遊技台に係る装置を収容する収容枠と、前記設置枠と前記収容枠とを係止する係止手段と、を備え、前記収容枠は、底板と、前記底板の両端部に上方に向けて配設した左右の側板と、前記左右の側板間に架設した天板と、で少なくとも構成され、前記係止手段は、前記設置枠と前記収容枠との間で可動する可動部材を有し、前記収容枠の所定面は、前記可動部材を挿通させる挿通孔を有し、前記挿通孔は、前記可動部材の先端部を前記収容枠の内側に脱落させることなく保持する段差部を有し、さらに、前記係止手段が非係止状態のとき、前記可動部材の先端部を前記所定面から突出させることなく前記可動部材を保持する段付き挿通孔であることを特徴とする。【選択図】図４
2011130879.tif 000002
【特許請求の範囲】
【請求項１】
遊技場の設置枠に設置される遊技台であって、
該遊技台に係る装置を収容する収容枠と、
前記設置枠と前記収容枠とを係止する係止手段と、
を備え、
前記収容枠は、
底板と、
前記底板の両端部に上方に向けて配設した左右の側板と、
前記左右の側板間に架設した天板と、
で少なくとも構成され、
前記係止手段は、前記設置枠と前記収容枠との間で可動する可動部材を有し、
前記収容枠の所定面は、前記可動部材を挿通させる挿通孔を有し、
前記挿通孔は、前記可動部材の先端部を前記収容枠の内側に脱落させることなく保持する段差部を有し、さらに、前記係止手段が非係止状態のとき、前記可動部材の先端部を前記所定面から突出させることなく前記可動部材を保持する段付き挿通孔である
ことを特徴とする遊技台。
【請求項２】
請求項１に記載の遊技台において、
前記段付き挿通孔は、前記所定面に対して平行な第１の所定方向に所定の長さを有し、前記第１の所定方向に前記可動部材をスライド移動させることを可能としたスライド挿通孔である
ことを特徴とする遊技台。
【請求項３】
請求項２に記載の遊技台において、
前記スライド挿通孔は、前記第１の所定方向の所定箇所に前記可動部材の先端部を前記収容枠の内側に脱落可能な先端脱落部を有する
ことを特徴とする遊技台。
【請求項４】
請求項２または３に記載の遊技台において、
前記スライド挿通孔は、前記第１の所定方向とは別の、前記所定面に対して平行な第２の所定方向にも所定の長さを有し、前記第２の所定方向にも前記可動部材をスライド移動可能である
ことを特徴とする遊技台。
【請求項５】
請求項４に記載の遊技台において、
前記第１の所定方向と前記第２の所定方向とが略垂直である
ことを特徴とする遊技台。
【請求項６】
請求項１ないし５のうちのいずれか１項に記載の遊技台において、
前記係止手段は、前記可動部材と、前記段差部に嵌るとともに前記可動部材を前記設置枠と前記収容枠との間で移動可能に保持する保持部材と、を有し、前記可動部材および前記保持部材は互いの接触箇所にねじ山を有し、該ねじ山を噛み合わせて前記可動部材を移動可能である
ことを特徴とする遊技台。
【発明の詳細な説明】
【技術分野】
【０００１】
本発明は、スロットマシン（パチスロ機）やパチンコ機に代表される遊技台に関する。
【背景技術】
【０００２】
従来、遊技台を遊技場に設置するにあたっては、島設備の設置枠に対して、遊技台に係る装置を収容する収容枠を釘等で打ち込み固定を行っている。
【０００３】
しかし、この方法では、遊技台の入れ替えの度に収容枠へ損傷を与えることになり、最終的には遊技台の固定が図れない。または各遊技台メーカーによる収容枠の再利用が困難になるという問題があった。
【０００４】
なお、特許文献１に記載の遊技機では、設置枠に固定するＬ字状の固定具を設け、遊技機をこの固定具に固定する構成を開示している。
【先行技術文献】
【特許文献】
【０００５】
【特許文献１】特開２００９−１４８６１９号公報
【発明の概要】
【発明が解決しようとする課題】
【０００６】
しかしながら、特許文献１に記載の遊技機のような従来の構成では、上述の固定具（たとえばねじ）が、遊技台の収容枠から突出する構造になっており、遊技台の輸送や設置の際に、遊技台の収容枠から突出した箇所が邪魔になる場合が考えられる。
【０００７】
本発明は上記の点に鑑みてなされたもので、島設備の設置枠に遊技台を係止する部材が、非係止状態において遊技台の収容枠から突出しない構造を有する遊技台を提供することを目的とする。
【課題を解決するための手段】
【０００８】
本発明は上記の目的を達成するために、遊技場の設置枠に設置される遊技台であって、該遊技台に係る装置を収容する収容枠と、前記設置枠と前記収容枠とを係止する係止手段と、を備え、前記収容枠は、底板と、前記底板の両端部に上方に向けて配設した左右の側板と、前記左右の側板間に架設した天板と、で少なくとも構成され、前記係止手段は、前記設置枠と前記収容枠との間で可動する可動部材を有し、前記収容枠の所定面は、前記可動部材を挿通させる挿通孔を有し、前記挿通孔は、前記可動部材の先端部を前記収容枠の内側に脱落させることなく保持する段差部を有し、さらに、前記係止手段が非係止状態のとき、前記可動部材の先端部を前記所定面から突出させることなく前記可動部材を保持する段付き挿通孔であることを特徴とする。
【発明の効果】
【０００９】
本発明によれば、島設備の設置枠に遊技台を係止する部材が、非係止状態において遊技台の収容枠から突出しない構造を有する遊技台を提供することができる。すなわち、本発明によれば、遊技台に係る装置を収容する収容枠に段付き挿通孔を設けることで、非係止の状態で可動部材の先端部が収容枠から突出してしまうことを防げる。
【図面の簡単な説明】
【００１０】
【図１】実施例１に係るスロットマシン１００の外観斜視図である。
【図２】図１に示した本体（収容枠）１０１の分解斜視図である。
【図３】図１に示したスロットマシン１００を島設備の設置枠に設置する様子を示す斜視図である。
【図４】係止部材２００によってスロットマシン１００を設置枠３００に係止、固定する様子を説明する図であり、（ａ）は本体１０１を天板１０６の上方から見た平面図であり、（ｂ）は本体１０１を右側方から見た（ａ）のＡ−Ａ断面図である。
【図５】係止部材２００を示す図であって、（ａ）は係止部材２００の分解側面図であり、（ｂ）は（ａ）の可動部材２０１を方向Ｃから見た側面図である。
【図６】図４（ａ）のＢ−Ｂ断面図であり、（ａ）は、可動部材２０１を支持部材２０３の空洞部２０３ｄに収容した状態を示す図であり、（ｂ）は、（ａ）の状態から、可動部材２０１を設置枠３００の上板３００ａ側に移動させた状態を示す図であり、（ｃ）は、（ｂ）の状態からさらに、可動部材２０１を設置枠３００の上板３００ａ側に移動させた状態を示す図である。
【図７】天板１０６における挿通孔１０８の配置位置と係止部材２００との関係を示す図であり、本体１０１を天板１０６の上方から見た平面図である。
【図８】本発明の実施例２において、係止部材２００によってスロットマシン１１００を設置枠３００に係止、固定する様子を説明する図であり、（ａ）は本体（収容枠）１１０１を天板１１０６の上方から見た平面図であり、（ｂ）は本体（収容枠）１１０１を前方から見た（ａ）のＪ−Ｊ断面図である。
【図９】実施例３における係止部材２００周辺での側断面図であり、実施例１における図６（ｃ）に相当する図である。
【図１０】パチンコ機３１００を正面側（遊技者側）から見た外観斜視図である。
【発明を実施するための形態】
【００１１】
＜実施例１＞
以下、図面を用いて、本発明の実施例に係るスロットマシン（遊技台）について詳細に説明する。
【００１２】
＜全体構成＞
まず、図１を用いて、本発明の第１実施例に係るスロットマシン１００の全体構成について説明する。なお、同図はスロットマシン１００の外観斜視図を示したものである。
【００１３】
図１に示すスロットマシン１００は、スロットマシン１００に係る各装置を収容する略箱状の本体（収容枠）１０１と、本体１０１の正面に取付けられ、本体１０１に対して開閉可能な前面扉１０２と、を備える。本体１０１の中央内部には、外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１４】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１５】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１６】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１７】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１８】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１９】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００２０】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２１】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２２】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２３】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２４】
前面扉１０２の左右各部に設けられたサイドランプ１４４は遊技を盛り上げるための装飾用のランプである。
【００２５】
前面扉１０２の音孔１４３ａおよび１４３ｂはスロットマシン１００内部に設けられているスピーカ（図示省略）の音を外部に出力するための孔である。前面扉１０２の上部には演出装置１６０が配設されており、演出装置１６０の上部には音孔１４３ａが設けられ、メダル払出口１５５の横には音孔１４３ｂが設けられている。
【００２６】
演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７の表示画面がスロットマシン１００正面（遊技者側）に出現する構造となっている。なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２７】
図２は、図１に示した本体（収容枠）１０１の分解斜視図である。
【００２８】
本体１０１は、縦長方形状から成る木製の枠部材であって、底板１０３と、底板１０３の左右両端部に上方に向けて配設した左側板１０５および右側板１０４と、左右の側板１０４と１０５との間に架設した天板１０６と、底板１０３の遊技者と反対側の端部に上方に向けて配設した裏板１０７と、を有して構成される。
【００２９】
底板１０３の左端上面および左側板１０５の下端には、ダボ穴が設けられており、このダボ穴にダボ１０９を差し込んで、底板１０３と左側板１０５とを接合、固定する。また、底板１０３の右端上面および右側板１０４の下端には、ダボ穴が設けられており、このダボ穴にダボ１０９を差し込んで、底板１０３と右側板１０４とを接合、固定する。
【００３０】
同様に、左右の側板１０４、１０５の上端および天板１０６の左右両端の下面には、ダボ穴が設けられており、このダボ穴にダボ１０９を差し込んで、天板１０６と右側板１０４とを接合、固定し、天板１０６と左側板１０５とを接合、固定する。
【００３１】
本実施例では、裏板１０７の接合、固定には、ダボを設けていないが、ダボを介して接合、固定するものであってもよい。
【００３２】
天板１０６は、天板１０６を上下に貫通する挿通孔１０８を有する。挿通孔１０８は手前（遊技者側）から奥へと延びる略長円状であって、左右２か所に設けている。この挿通孔１０８に係止部材２００を取り付け、詳しくは後述するように、この係止部材２００を係止状態にすることによって、スロットマシン１００を島設備の設置枠に対して係止、固定する。
【００３３】
図３は、図１に示したスロットマシン１００を島設備の設置枠に設置する様子を示す斜視図である。
【００３４】
遊技場の島設備には設置枠３００が設けられている。この設置枠３００は、木製の上板３００ａおよび下板３００ｂを有する。下板３００ｂから上板３００ａまでの高さは、スロットマシン１００の高さよりも少々高い程度であり、下板３００ｂと上板３００ａとの間にスロットマシン１００を設置する。
【００３５】
スロットマシン１００を運ぶ際には、図３に示すように、作業者が挿通孔１０８に手をかけて運ぶことができる。
【００３６】
なお、本実施例では、設置枠３００が、スロットマシン１００の上下の上板３００ａおよび下板３００ｂを有する構成において、上板３００ａに対向する天板１０６に挿通孔１０８を設けているが、本発明はこれに限られるものではなく、底板１０３に挿通孔１０８を設けて係止部材２００を取り付けてもよい。また、設置枠３００を、スロットマシン１００の左右にも板を有するものにすることによって、左右の側板１０４、１０５のいずれかに挿通孔１０８を設けて係止部材２００を取り付けてもよい。また、天板１０６、底板１０３、左右の側板１０４、１０５のうちのいずれか複数の板に挿通孔１０８を設けて係止部材２００を取り付けてもよい。
【００３７】
図４は、係止部材２００によってスロットマシン１００を設置枠３００に係止、固定する様子を説明する図であり、（ａ）は本体１０１を天板１０６の上方から見た平面図であり、（ｂ）は本体１０１を右側方から見た（ａ）のＡ−Ａ断面図である。
【００３８】
天板１０６の挿通孔１０８は略長円状の形状であり、その両端に、係止部材２００が通過可能な大きさの孔１０８ａを有する。挿通孔１０８は、一端の孔１０８ａと他端の孔１０８ａとの間に、天板１０６の板厚から一段薄く略均一な厚さの薄肉部１０８ｂを有する。この薄肉部１０８ｂは、天板１０６の上面に段差部１０８ｃを設けることによって形成される。孔１０８ａから挿入した係止部材２００は、この薄肉部１０８ｂに沿って、一端の孔１０８ａと他端の孔１０８ａとの間をスライド移動可能である。
【００３９】
図５は、係止部材２００を示す図であって、（ａ）は係止部材２００の分解側面図であり、（ｂ）は（ａ）の可動部材２０１を方向Ｃから見た側面図である。
【００４０】
係止部材２００は、天板１０６と上板３００ａとの間で移動可能な可動部材２０１と、作業者が可動部材２０１を軸回転させる際の持ち手であるレバー部材２０２と、挿通孔１０８の薄肉部１０８ｂが嵌る支持部材２０３と、を有して構成される。
【００４１】
可動部材２０１は、先端に刃型を有する円筒形状の頭部２０１ａと、頭部２０１ａと同軸の円柱状で側面にねじ山が切ってある胴部２０１ｂと、を有する。胴部２０１ｂの下部には貫通孔２０１ｃを設けている。頭部２０１ａは先端が刃型であることによって係止状態のときに係止性を向上することができる。ただし、本発明はこれに限らず、頭部２０１ａは先端が刃型でなくてもよい。また、頭部２０１ａは中空の円筒形状であることによって部材の軽量化を図ることができる。ただし、本発明はこれに限らず、頭部２０１ａは中実の円柱形状であってもよい。また頭部２０１ａの先端は金属製や樹脂製でもよく、ゴム製などの弾性部材であっても構わない。
【００４２】
レバー部材２０２は、頭部２０２ａおよび胴部２０２ｂを有する円柱状部材である。胴部２０２ｂの径は貫通孔２０１ｃの径よりも小さく、頭部２０２ａの径は貫通孔２０１ｃの径よりも大きく、レバー部材２０２を胴部２０２ｂの先端から貫通孔２０１ｃに挿入していくと頭部２０２ａで留まる。
【００４３】
支持部材２０３は、中空の円環状部材であり、頭部２０３ａと、頭部２０３ａよりも小径の胴部２０３ｂと、胴部２０３ｂよりも大径の脚部２０３ｃと、を有する。頭部２０３ａは可動部材２０１の頭部２０１ａを収容可能な大きさの空洞部２０３ｄを有し、この頭部２０３ａの空洞部２０３ｄから、胴部２０３ｂおよび脚部２０３ｃにかけて、軸中心にねじ穴２０３ｅを有する。このねじ穴２０３ｅには、ねじ山が切ってある可動部材２０１の胴部２０１ｂが上方からねじ挿入される。このねじ挿入により、可動部材２０１の下部の貫通孔２０１ｃが、脚部２０３ｃの下方に出現した状態で、この貫通孔２０１ｃにレバー部材２０２の胴部２０２ｂの先端を挿入する。
【００４４】
挿通孔１０８の孔１０８ａの直径Ｋは、天板１０６の下方から係止部材２００を取り付け可能なように、支持部材２０３の頭部２０３ａの直径Ｐよりも大きくしてある（図４（ａ）および図５（ａ）参照）。ただし、天板１０６の上方から係止部材２００を取り付ける場合には、挿通孔１０８の孔１０８ａの直径Ｋは支持部材２０３の頭部２０３ａの直径Ｐよりも小さくてもよく、この場合、挿通孔１０８の孔１０８ａの直径Ｋは支持部材２０３の脚部２０３ｃの直径Ｒよりも大きくする。
【００４５】
さらに図４（ａ）および図５（ａ）参照して説明すると、支持部材２０３の頭部２０３ａの直径Ｐは、挿通孔１０８の両側の薄肉部１０８ｂの間の貫通孔の幅Ｌよりも大きく、かつ段差部１０８ｃの幅Ｍよりも小さい。
【００４６】
また、支持部材２０３の胴部２０３ｂの直径Ｑは、薄肉部１０８ｂの間の貫通孔の幅Ｌよりも小さい。
【００４７】
また、支持部材２０３の脚部２０３ｃの直径Ｒは、挿通孔１０８の両側の薄肉部１０８ｂの間の貫通孔の幅Ｌよりも大きい。
【００４８】
これにより、孔１０８ａから挿入した係止部材２００を、薄肉部１０８ｂの位置に胴部２０３ｂを合わせることにより、頭部２０３ａと脚部２０３ｃとの間（胴部２０３ｂの位置）に薄肉部１０８ｂが嵌り、薄肉部１０８ｂに沿って（図４（ａ）の矢印Ｎの方向に）係止部材２００をスライド移動させることができる。頭部２０３ａと脚部２０３ｃとの間の長さ（胴部２０３ｂの長さ）と薄肉部１０８ｂの厚さを略等しくすることにより、挿通孔１０８と支持部材２０３とが緩みなく嵌り、取り付け時のガタを解消することができる。ただし、この嵌りがあまりにもきついと係止部材２００のスライド移動を阻害するので、このスライド移動を阻害しない程度にすることが望ましい。
【００４９】
図６は、図４（ａ）のＢ−Ｂ断面図であり、（ａ）は、可動部材２０１を支持部材２０３の空洞部２０３ｄに収容した状態を示す図であり、（ｂ）は、（ａ）の状態から、可動部材２０１を設置枠３００の上板３００ａ側に移動させた状態を示す図であり、（ｃ）は、（ｂ）の状態からさらに、可動部材２０１を設置枠３００の上板３００ａ側に移動させた状態を示す図である。
【００５０】
図３に示すようなスロットマシン１００の輸送や設置の際、本実施例のスロットマシン１００では、係止部材２００を孔１０８ａから挿入し、薄肉部１０８ｂに沿ってスライド移動させて取り付けた状態において、図６（ａ）に示すように、支持部材２０３の頭部２０３ａは天板１０６の段差部１０８ｃに突出せずに収容し、また、レバー部材２０２の胴部２０２ｂを作業者が持って可動部材２０１を所定方向に軸回転させる（てこの原理により小さな力で回転させることができる）ことによって、ねじにより可動部材２０１は下方向に移動し、可動部材２０１の頭部２０１ａは支持部材２０３の空洞部２０３ｄ内に突出せずに収容する（スロットマシン１００（収容枠１０１）と設置枠３００との非係止状態）。これにより、スロットマシン１００の輸送や設置の際、係止部材２００は天板１０６の上面よりも突出せず、邪魔になることがない。
【００５１】
スロットマシン１００を設置枠３００に配置し固定（係止）する際には、図６（ｂ）および図６（ｃ）に示すように、レバー部材２０２の胴部２０２ｂを作業者が持って可動部材２０１を所定方向と逆方向に軸回転させることによって、ねじにより可動部材２０１は上方向に移動し、可動部材２０１の頭部２０１ａは天板１０６の上面から突出する。これを継続することによって、可動部材２０１の頭部２０１ａの先端の刃型は、設置枠３００の上板３００ａの下面に当接し、天板１０６が上板３００ａと係止される（スロットマシン１００（収容枠１０１）と設置枠３００との係止状態）。
【００５２】
ところで、上述したように、本実施例において、天板１０６と上板３００ａとを係止する際には、レバー部材２０２の胴部２０２ｂを作業者が持って可動部材２０１を軸回転させる。そこで、天板１０６の挿通孔１０８は、レバー部材２０２を回転させる際に何らかの周辺部材が邪魔にならない位置にあることが望ましい。この点について図７を参照しながら説明する。図７は、天板１０６における挿通孔１０８の配置位置と係止部材２００との関係を示す図であり、本体１０１を天板１０６の上方から見た平面図である。
【００５３】
図７において、レバー部材２０２が到達する可能性のある範囲Ｆ（到達可能範囲Ｆ）を一点鎖線で示す。係止部材２００は薄肉部１０８ｂに沿ってスライド移動可能であり、レバー部材２０２は可動部材２０１を軸とした軸回転可能であるので、到達可能範囲Ｆは図７に示すような略長円状になる。
【００５４】
スロットマシン１００の前面扉１０２を閉じたとき、前面扉１０２は、天板１０６の内側の長さＤの位置にまで達する。到達可能範囲Ｆは、前面扉１０２側の天板１０６の端から長さＤの位置に達しないことが望ましい。また、前面扉１０２側の天板１０６の端から、挿通孔１０８のうち最も前面扉１０２側の係止部材２００の取り付け位置までの長さをＥとすると、長さＥは長さＤよりも長いことは明白である。
【００５５】
また、右側板１０４および左側板１０５のうち、挿通孔１０８の係止部材２００の取り付け位置に近いほうの側板において、たとえば右側板１０４の内側面から、挿通孔１０８の係止部材２００の取り付け位置までの長さをＧとすると、到達可能範囲Ｆは、この長さＧの位置に達しないことが望ましい。
【００５６】
また、裏板１０７側においても、裏板１０７の内側面から、挿通孔１０８のうち最も裏板１０７側の係止部材２００の取り付け位置までの長さをＨとすると、到達可能範囲Ｆは、この長さＨの位置に達しないことが望ましい。
【００５７】
なお、挿通孔１０８への係止部材２００の収容状態は、たとえば外部からの目視などによって、容易に確認可能であることが望ましい。
【００５８】
＜実施例２＞
次に、本発明の実施例２について説明する。この実施例２では、天板の挿通孔の形状が、上述の実施例１と異なる。他の構成は、実施例１と同様であるので同じ構成については同じ参照番号を付し、詳しい説明を省略する。
【００５９】
図８は、本発明の実施例２において、係止部材２００によってスロットマシン１１００を設置枠３００に係止、固定する様子を説明する図であり、（ａ）は本体（収容枠）１１０１を天板１１０６の上方から見た平面図であり、（ｂ）は本体（収容枠）１１０１を前方から見た（ａ）のＪ−Ｊ断面図である。
【００６０】
本実施例のスロットマシン１１００の本体（収容枠）１１０１は、左右の側板１０４と１０５との間に天板１１０６架設して構成される。
【００６１】
天板１１０６の挿通孔１１０８は、図４（ａ）に示した挿通孔１０８の形状に加え、貫通孔が右側板１０４または左側板１０５に向けて延伸している。この挿通孔１１０８は、実施例１の孔１０８ａと同様の孔１１０８ａを有し、実施例１の薄肉部１０８ｂと同様の薄肉部１１０８ｂを有する。挿通孔１１０８の延伸方向は、天板１１０６の面上のいかなる方向であってもかまわない。
【００６２】
この実施例２によれば、天板１１０６の挿通孔１１０８は、天板１１０６の面上の複数方向に係止部材２００をスライド移動することができ、所望位置でスロットマシン１１００（収容枠１１０１）と設置枠３００との係止を行うことができる。
【００６３】
＜実施例３＞
次に、本発明の実施例３について説明する。この実施例３では、天板の挿通孔の形状が、上述の実施例１と異なる。他の構成は、実施例１と同様であるので同じ構成については同じ参照番号を付し、詳しい説明を省略する。
【００６４】
図９は、実施例３における係止部材２００周辺での側断面図であり、実施例１における図６（ｃ）に相当する図である。
【００６５】
実施例１では、図６（ｃ）に示すように天板１０６に段差部１０８ｃを設けて、天板１０６の板厚よりも薄い薄肉部１０８ｂを形成し、係止部材２００の支持部材２０３の頭部２０３ａと脚部２０３ｃとの間（胴部２０３ｂの位置）に、この薄肉部１０８ｂを嵌め、薄肉部１０８ｂに沿って係止部材２００をスライド移動するようにしたが、本発明はこれに限られるものではない。
【００６６】
実施例４では、天板２１０６を薄い鉄板状のものにし、この天板２１０６に切り込みを入れるとともに折り曲げ加工し、挿通孔２１０８を形成している。
【００６７】
挿通孔２１０８の段差部２１０８ｃは、たとえばテーパを有して形成され、その深さは、係止部材２００の支持部材２０３の頭部２０３ａおよび稼働部材２０１の頭部２０１ａが天板２１０６の上面から突出しない深さにしてある。
【００６８】
挿通孔２１０８を形成する切り込みの先端部２１０８ｂは、折りたたんで、係止部材２００の支持部材２０３の頭部２０３ａと脚部２０３ｃとの間（胴部２０３ｂの位置）にガタなく嵌る厚さにしてある。
【００６９】
実施例３では、図９に示すように天板２１０６に段差部２１０８ｃを設けて挿通孔２１０８を形成し、係止部材２００の支持部材２０３の頭部２０３ａと脚部２０３ｃとの間（胴部２０３ｂの位置）に、先端部２１０８ｂを嵌め、この先端部２１０８ｂに沿って係止部材２００をスライド移動する。
【００７０】
＜パチンコ機への適用＞
以上説明した本発明は、パチンコ機にも適用可能である。図１０を用いて、本発明を適用したパチンコ機３１００の全体構成について説明する。なお、同図はパチンコ機３１００を正面側（遊技者側）から見た外観斜視図である。
【００７１】
パチンコ機３１００は、外部的構造として、外枠３１０２と、本体３１０４と、前面枠扉３１０６と、球貯留皿付扉３１０８と、発射装置３１１０と、遊技盤３２００と、をその前面に備える。
【００７２】
外枠３１０２は、遊技機設置営業店に設けられた島設備の上述した設置枠３００へと固定させるための縦長方形状から成る木製の枠部材である。外枠３１０２には、挿通孔３２０８が設けられており、この挿通孔３２０８に上述の係止部材２００を取り付けて係止状態にすることによって、パチンコ機３１００を設置枠３００に対して係止、固定することができる。
【００７３】
本体３１０４は、外枠３１０２の内部に備えられ、ヒンジ部３１１２を介して外枠３１０２に回動自在に装着された縦長方形状の遊技機基軸体となる部材である。また、本体３１０４は、枠状に形成され、内側に空間部３１１４を有している。
【００７４】
前面枠扉３１０６は、ロック機能付きで且つ開閉自在となるようにパチンコ機３１００の前面側となる本体３１０４の前面に対しヒンジ部３１１２を介して装着され、枠状に構成されることでその内側を開口部とした扉部材である。なお、この前面枠扉３１０６には、開口部にガラス製又は樹脂製の透明板部材３１１８が設けられ、前面側には、スピーカ３１２０や枠ランプ３１２２が取り付けられている。前面枠扉３１０６の後面と遊技盤３２００の前面とで遊技領域３１２４を区画形成する。
【００７５】
球貯留皿付扉３１０８は、パチンコ機３１００の前面において本体３１０４の下側に対して、ロック機能付きで且つ開閉自在となるように装着された扉部材である。球貯留皿付扉３１０８は、複数の遊技球（以下、単に「球」と称する場合がある）が貯留可能で且つ発射装置３１１０へと遊技球を案内させる通路が設けられている上皿３１２６と、上皿３１２６に貯留しきれない遊技球を貯留する下皿３１２８と、遊技者の操作によって上皿３１２６に貯留された遊技球を下皿３１２８へと排出させる球抜ボタン３１３０と、遊技者の操作によって下皿３１２８に貯留された遊技球を遊技球収集容器（俗称、ドル箱）へと排出させる球排出レバー３１３２と、遊技者の操作によって発射装置３１１０へと案内された遊技球を遊技盤３２００の遊技領域３１２４へと打ち出す球発射ハンドル３１３４と、遊技者の操作によって各種演出装置（図示せず）の演出態様に変化を与えるチャンスボタン３１３６と、チャンスボタン３１３６を発光させるチャンスボタンランプ３１３８と、遊技店に設置されたカードユニット（ＣＲユニット）に対して球貸し指示を行う球貸操作ボタン３１４０と、カードユニットに対して遊技者の残高の返却指示を行う返却操作ボタン３１４２と、遊技者の残高やカードユニットの状態を表示する球貸表示部３１４４と、を備える。
【００７６】
発射装置３１１０は、本体３１０４の下方に取り付けられ、球発射ハンドル３１３４が遊技者に操作されることによって回動する発射杆３１４６と、遊技球を発射杆３１４６の先端で打突する発射槌３１４８と、を備える。
【００７７】
遊技盤３２００は、前面に遊技領域３１２４を有し、本体３１０４の空間部３１１４に臨むように、所定の固定部材を用いて本体３１０４に着脱自在に装着されている。なお、遊技領域３１２４は、遊技盤３２００を本体３１０４に装着した後、開口部から観察することができる。
【００７８】
＜その他＞
なお、以上説明した本発明は、
１．  遊技場の設置枠に設置される遊技台であって、
該遊技台に係る装置を収容する収容枠と、
前記設置枠と前記収容枠とを係止する係止手段（たとえば係止部材２００）と、
を備え、
前記収容枠は、
底板と、
前記底板の両端部に上方に向けて配設した左右の側板と、
前記左右の側板間に架設した天板と、
で少なくとも構成され、
前記係止手段は、前記収容枠と前記設置枠との間で可動する可動部材（たとえば可動部材２０１）を有し、前記可動部材を前記収容枠から前記設置枠にまで亘らせることによって前記収容枠と前記設置枠とを係止し、
前記収容枠の所定面は、前記可動部材を挿通させる挿通孔を有し、
前記挿通孔は、前記可動部材の先端部を前記収容枠の内側に脱落させることなく保持する段差部を有し、さらに、前記係止手段が非係止状態のとき、前記可動部材の先端部を前記所定面から突出させることなく前記可動部材を保持する段付き挿通孔である
ことを特徴とする遊技台、としたので、
遊技台に係る装置を収容する収容枠に段付き挿通孔を設けることで、設置枠と収容枠との非係止状態で可動部材の先端部が収容枠から突出してしまうことを防げる。
２．  １．に記載の遊技台において、
前記段付き挿通孔は、前記所定面に対して平行な第１の所定方向に所定の長さを有し、前記第１の所定方向に前記可動部材をスライド移動させることを可能としたスライド挿通孔である
ことを特徴とする遊技台、としたので、
可動部材を所定面でスライド移動させることができ、所望位置で設置枠と収容枠と係止することができる場合がある。
３．  ２．に記載の遊技台において、
前記スライド挿通孔は、前記第１の所定方向の所定箇所に前記可動部材の先端部を前記収容枠の内側に脱落可能な先端脱落部（たとえば孔１０８ａ）を有する
ことを特徴とする遊技台、としたので、
可動部材を収容枠から容易に着脱することができる場合がある。
４．  ２．または３．に記載の遊技台において、
前記スライド挿通孔は、前記第１の所定方向とは別の、前記所定面に対して平行な第２の所定方向にも所定の長さを有し、前記第２の所定方向にも前記可動部材をスライド移動可能である
ことを特徴とする遊技台、としたので、
可動部材を所定面で多方向にスライド移動させることができ、所望位置で設置枠と収容枠と係止することができる場合がある。
５．  ４．に記載の遊技台において、
前記第１の所定方向と前記第２の所定方向とが略垂直である
ことを特徴とする遊技台、としたので、
可動部材を所定面で略垂直な多方向にスライド移動させることができ、所望位置で設置枠と収容枠と係止することができる場合がある。
６．  １．ないし５．のうちのいずれか１項に記載の遊技台において、
前記係止手段は、前記可動部材と、前記段差部に嵌るとともに前記可動部材を前記設置枠と前記収容枠との間で移動可能に保持する保持部材（たとえば支持部材２０３）と、を有し、前記可動部材および前記保持部材は互いの接触箇所にねじ山を有し、該ねじ山を噛み合わせて前記可動部材を移動可能である
ことを特徴とする遊技台、としたので、
簡易な構成で係止手段を実現可能な場合がある。
【００７９】
（付記１）
（付記１−１）
本発明は、
遊技場の設置枠に設置される遊技台であって、
該遊技台に係る装置を収容する収容枠と、
前記設置枠と前記収容枠とを係止する係止手段と、
を備え、
前記収容枠は、底板、前記底板の両端部に上方に向けて配設した左右の側板、前記左右の側板間に架設した天板のうちの少なくともいずれかを有し、
前記係止手段が、前記収容枠の各板のうち前記設置枠と対向するいずれかの板から突出して前記設置枠と前記収容枠とを係止する可動部材を有し、
前記係止手段が非係止状態のとき、前記可動部材を該収容枠の板から突出させずに収容する収容部を有する
ことを特徴とする遊技台、としたので、
遊技台に係る装置を収容する収容枠に段付き挿通孔を設けることで、設置枠と収容枠との非係止状態で可動部材の先端部が収容枠から突出してしまうことを防げる。
【産業上の利用可能性】
【００８０】
本発明に係る遊技台は、スロットマシンなどに代表される遊技台に適用することができる。
【符号の説明】
【００８１】
１００  スロットマシン（遊技台）
１０１  本体（収容枠）
１０２  前面扉
１１０  左リール
１１１  中リール
１１２  右リール
１１３  図柄表示窓
１１４  入賞ライン
１２０  入賞ライン表示ランプ
１２１  スタートランプ
１２３  告知ランプ
１２４  メダル投入ランプ
１２５  払出枚数表示器
１２６  遊技回数表示器
１２７  貯留枚数表示器
１２８  リールパネルランプ
１３０、１３１  メダル投入ボタン
１３２  精算ボタン
１３３  メダル返却ボタン
１４１  メダル投入口
１３５  スタートレバー
１３７〜１３９  ストップボタン
１４０  ドアキー孔
１４４  サイドランプ
１５５  メダル払出口
１６１  メダル受皿
１４３ａ、１４３ｂ  音孔
１６３  遮蔽装置
１６０  演出装置
３００  設置枠
１０６  天板
２００  係止部材
【図１】
2011130879.tif 000003
【図２】
2011130879.tif 000004
【図３】
2011130879.tif 000005
【図４】
2011130879.tif 000006
【図５】
2011130879.tif 000007
【図６】
2011130879.tif 000008
【図７】
2011130879.tif 000009
【図８】
2011130879.tif 000010
【図９】
2011130879.tif 000011
【図１０】
2011130879.tif 000012